【手続補正書】
【提出日】平成29年1月11日(2017.1.11)
【手続補正１】
【補正対象書類名】特許請求の範囲
【補正対象項目名】全文
【補正方法】変更
【補正の内容】
【特許請求の範囲】
【請求項１】
装置であって、
前記装置に対して物理層リソースを動的に割り振るように構成された少なくとも1つのベー
スユニットと、
前記少なくとも1つのベースユニットに通信可能に結合された複数のアンテナユニット
とを備え、
前記アンテナユニットは物理的に分離されており、
前記アンテナユニットのうちの少なくとも2つは、共通の物理層識別子を共通のキャリ
ア周波数で使用するように構成され、
前記物理層リソースの前記動的な割振りは、地理的エリア内で、前記少なくとも2つのアンテナユニットからの信号と関連した潜在的な干渉を軽減するために、前記物理層リソースを前記少なくとも2つのアンテナユニットの間で分割するステップを含み、
前記少なくとも2つのアンテナユニットの各々は、前記装置のカバレッジ内で動作しているアクセス端末のためのモビリティ管理を提供するように構成され、前記物理層リソースの前記動的な割振りは、前記アクセス端末のうちの第1のアクセス端末が前記アンテナユニットのうちの前記第1のアンテナユニットのカバレッジから前記アンテナユニットのうちの前記第2のアンテナユニットへ移動したことを決定したことに応答して、前記少なくとも2つのアンテナユニットのうちの第1のアンテナユニットにより使用されるアップリンクスクランブル符号の第1のセットのうち少なくとも1つを変化させ、前記少なくとも2つのアンテナユニットのうちの第2のアンテナユニットにより使用されるアップリンクスクランブル符号の第2のセットのうち少なくとも1つを変化させるステップを含む、
装置。
【請求項２】
前記共通物理層識別子は、1次スクランブル符号または物理セルアイデンティティを含む、
請求項1に記載の装置。
【請求項３】
前記物理層リソースは、ダウンリンク物理リソース、アップリンク物理リソース、ダウ
ンリンクリソースの経時的な割当て、またはアップリンクリソースの経時的な割当てのう
ちの、少なくとも1つを含む、請求項1に記載の装置。
【請求項４】
前記物理層リソースは、ダウンリンク直交可変拡散率符号、アップリンクスクランブル
符号、または送信時間間隔のうちの、少なくとも1つを含む、請求項1に記載の装置。
【請求項５】
前記少なくとも1つのベースユニットはUMTSスタックを含み、
前記アンテナユニットの各々は物理層エンティティを含む、
請求項1に記載の装置。
【請求項６】
前記モビリティ管理は、前記アンテナユニットの各々において、前記アンテナユニット
のうちの別のアンテナユニットのカバレッジ内で、前記アクセス端末のいずれかによって
使用されるアップリンクスクランブル符号を探索するステップを含む、請求項1に記載の
装置。
【請求項７】
前記モビリティ管理は、
前記アクセス端末のうちの前記第1のアクセス端末が、前記アンテナユニットのうちの前記第1のアンテナユニットのカバレッジから、前記アンテナユニットのうちの前記第2のアンテナユニ
ットへ移動したことを決定するステップと、
前記アクセス端末のうちの前記第1のアクセス端末が移動したことの前記決定に基づい
て、前記アンテナユニットのうちの少なくとも1つのカバレッジ内の、前記アクセス端末
のうちの少なくとも1つの他のアクセス端末に対する、アップリンクリソースまたはダウ
ンリンクリソースのうちの少なくとも1つの割振りを変化させるステップと
を含む、請求項1に記載の装置。
【請求項８】
前記物理層リソースの前記割振りは、
前記アンテナユニットのうちの少なくとも1つのカバレッジ内の、第1のアクセス端末を
検出するステップと、
識別される1つの物理層リソースの前記第1のアクセス端末への割当てが、前記識別され
る1つの物理層リソースの第2のアクセス端末による使用と干渉するかどうかに基づいて、前記
物理層リソースのうちの1つの物理層リソースを前記第1のアクセス端末への割当てのために識別するステップと
を含む、請求項1に記載の装置。
【請求項９】
前記物理層リソースの前記割振りは、前記物理層リソースの使用法を、前記アンテナユ
ニットのうちの2つ以上の間で直交化させるかどうかを動的に決定するステップを含む、
請求項1に記載の装置。
【請求項１０】
前記物理層リソースの前記分割するステップは、
ダウンリンク直交可変拡散率符号のセットのうちの第1のサブセットを、前記アンテナ
ユニットのうちの前記第1のアンテナユニットに割り振るステップと、
ダウンリンク直交可変拡散率符号の前記セットのうちの第2のサブセットを、前記アン
テナユニットのうちの前記第2のアンテナユニットに割り振るステップであって、前記第2のサ
ブセットが前記第1のサブセットと異なるステップと
を含む、請求項1に記載の装置。
【請求項１１】
前記物理層リソースの前記分割するステップは、
アップリンクスクランブル符号のセットのうちの第1のサブセットを、前記アンテナユ
ニットのうちの前記第1のアンテナユニットに割り振るステップと、
アップリンクスクランブル符号の前記セットのうちの第2のサブセットを、前記アンテ
ナユニットのうちの前記第2のアンテナユニットに割り振るステップであって、前記第2のサブ
セットが前記第1のサブセットと異なるステップと
を含む、請求項1に記載の装置。
【請求項１２】
前記物理層リソースの前記分割するステップは、トラフィックの需要に基づいて、相異
なる2次スクランブル符号を、前記アンテナユニットのうちの2つ以上に割り振るステップ
を含む、請求項1に記載の装置。
【請求項１３】
通信の方法であって、装置が、少なくとも1つのベースユニットに通信可能に結合され
た複数のアンテナユニットを備え、前記アンテナユニットは物理的に分離されており、前
記方法は、
前記アンテナユニットのうちの少なくとも2つを、共通の物理層識別子を共通のキャリ
ア周波数で使用するように構成するステップと、
前記装置に対して物理層リソースを動的に割り振るステップであって、前記物理層リソ
ースの前記割振りは、地理的エリア内で、前記少なくとも2つのアンテナユニットからの信号と関連した潜在的な干渉を軽減するために、前記物理層リソースを前記少なくとも2つのアンテナユニットの間で分割するステップを含むステップと、
前記少なくとも2つのアンテナユニットの各々において、前記装置のカバレッジ内で動作しているアクセス端末のためのモビリティ管理を提供するステップであって、前記物理層リソースを動的に割り振るステップは、前記アクセス端末のうちの第1のアクセス端末が前記アンテナユニットのうちの前記第1のアンテナユニットのカバレッジから前記アンテナユニットのうちの前記第2のアンテナユニットへ移動したことを決定したことに応答して、前記少なくとも2つのアンテナユニットのうちの第1のアンテナユニットにより使用されるアップリンクスクランブル符号の第1のセットのうち少なくとも1つを変化させ、前記少なくとも2つのアンテナユニットのうちの第2のアンテナユニットにより使用されるアップリンクスクランブル符号の第2のセットのうち少なくとも1つを変化させるステップを含む、ステップと、
を含む通信の方法。
【請求項１４】
前記共通物理層識別子は、1次スクランブル符号または物理セルアイデンティティを含む、
請求項13に記載の方法。
【請求項１５】
前記物理層リソースは、ダウンリンク物理リソース、アップリンク物理リソース、ダウ
ンリンクリソースの経時的な割当て、またはアップリンクリソースの経時的な割当てのう
ちの、少なくとも1つを含む、請求項13に記載の方法。
【請求項１６】
前記物理層リソースは、ダウンリンク直交可変拡散率符号、アップリンクスクランブル
符号、または送信時間間隔のうちの、少なくとも1つを含む、請求項13に記載の方法。
【請求項１７】
前記少なくとも1つのベースユニットはUMTSスタックを含み、
前記アンテナユニットの各々は物理層エンティティを含む、
請求項13に記載の方法。
【請求項１８】
前記モビリティ管理は、前記アンテナユニットの各々において、前記アンテナユニット
のうちの別のアンテナユニットのカバレッジ内で、前記アクセス端末のいずれかによって
使用されるアップリンクスクランブル符号を探索するステップを含む、請求項13に記載の
方法。
【請求項１９】
前記モビリティ管理は、
前記アクセス端末のうちの前記第1のアクセス端末が、前記アンテナユニットのうちの前記第1のアンテナユニットのカバレッジから、前記アンテナユニットのうちの前記第2のアンテナユニットへ移動したことを決定するステップと、
前記アクセス端末のうちの前記第1のアクセス端末が移動したことの前記決定に基づい
て、前記アンテナユニットのうちの少なくとも1つのカバレッジ内の、前記アクセス端末
のうちの少なくとも1つの他のアクセス端末に対する、アップリンクリソースまたはダウ
ンリンクリソースのうちの少なくとも1つの割振りを変化させるステップと
を含む、請求項13に記載の方法。
【請求項２０】
前記物理層リソースの前記割振りは、
前記アンテナユニットのうちの少なくとも1つのカバレッジ内の、第1のアクセス端末を
検出するステップと、
識別される1つの物理層リソースの前記第1のアクセス端末への割当てが、前記識別され
る1つの物理層リソースの第2のアクセス端末による使用と干渉するかどうかに基づいて、前記物理層リソースのうちの1つの物理層リソースを前記第1のアクセス端末への割当てのために識別するステップと
を含む、請求項13に記載の方法。
【請求項２１】
前記物理層リソースの前記割振りは、前記物理層リソースの使用法を、前記アンテナユ
ニットのうちの2つ以上の間で直交化させるかどうかを動的に決定するステップを含む、
請求項13に記載の方法。
【請求項２２】
前記物理層リソースの前記分割するステップは、
ダウンリンク直交可変拡散率符号のセットのうちの第1のサブセットを、前記アンテナ
ユニットのうちの前記第1のアンテナユニットに割り振るステップと、
ダウンリンク直交可変拡散率符号の前記セットのうちの第2のサブセットを、前記アン
テナユニットのうちの前記第2のアンテナユニットに割り振るステップであって、前記第2のサ
ブセットが前記第1のサブセットと異なるステップと
を含む、請求項13に記載の方法。
【請求項２３】
前記物理層リソースの前記分割するステップは、
アップリンクスクランブル符号のセットのうちの第1のサブセットを、前記アンテナユ
ニットのうちの前記第1のアンテナユニットに割り振るステップと、
アップリンクスクランブル符号の前記セットのうちの第2のサブセットを、前記アンテ
ナユニットのうちの前記第2のアンテナユニットに割り振るステップであって、前記第2のサブ
セットが前記第1のサブセットと異なるステップと
を含む、請求項13に記載の方法。
【請求項２４】
前記物理層リソースの前記分割するステップは、トラフィックの需要に基づいて、相異
なる2次スクランブル符号を、前記アンテナユニットのうちの2つ以上に割り振るステップ
を含む、請求項13に記載の方法。
【請求項２５】
通信のための装置であって、
物理的に分離され、少なくとも1つのベースユニットに通信可能に結合された複数のア
ンテナユニットと、
前記アンテナユニットのうちの少なくとも2つを、共通の物理層識別子を共通のキャリ
ア周波数で使用するように構成するための手段と、
前記装置に対して物理層リソースを動的に割り振るための手段であって、前記物理層リ
ソースの前記割振りは、地理的エリア内で、前記少なくとも2つのアンテナユニットからの信号と関連した潜在的な干渉を軽減するために、前記物理層リソースを前記アンテナユニットの間
で分割するステップを含む、手段と、
前記少なくとも2つのアンテナユニットの各々において、前記装置のカバレッジ内で動作しているアクセス端末のためのモビリティ管理を提供するための手段であって、前記物理層リソースを動的に割り振るための手段は、前記アクセス端末のうちの第1のアクセス端末が前記アンテナユニットのうちの前記第1のアンテナユニットのカバレッジから前記アンテナユニットのうちの前記第2のアンテナユニットへ移動したことを決定したことに応答して、前記少なくとも2つのアンテナユニットのうちの第1のアンテナユニットにより使用されるアップリンクスクランブル符号の第1のセットのうち少なくとも1つを変化させ、前記少なくとも2つのアンテナユニットのうちの第2のアンテナユニットにより使用されるアップリンクスクランブル符号の第2のセットのうち少なくとも1つを変化させるための手段を備える、手段と、
を備える、装置。
【請求項２６】
前記装置のカバレッジ内の少なくとも1つのアクセス端末と関連した干渉を決定するた
めの手段を、さらに備える装置であって、
前記物理層リソースの前記割振りは、前記物理層リソースの使用法を、前記アンテナユ
ニットのうちの2つ以上の間で直交化させるかどうかを動的に決定するステップを含み、
前記物理層リソースの使用法を直交化させるかどうかの前記決定は、前記決定された干
渉に基づく、
請求項25に記載の装置。
【請求項２７】
前記干渉は、アップリンク信号を感知すること、チャネル品質のフィードバック、受信
信号符号電力のフィードバック、または受信信号符号品質のフィードバックのうちの、少
なくとも1つに基づいて決定される、請求項25に記載の装置。
【請求項２８】
少なくとも1つのベースユニットと前記少なくとも1つのベースユニットに通信可能に結合された複数のアンテナユニットとを備えた装置で使用するために格納されたプログラムコードを含む非一時的コンピュータ可読記憶媒体であって、前記プログラムコードは、前記少なくとも1つのベースユニットに、
前記アンテナユニットのうちの少なくとも2つを、共通の物理層識別子を共通のキャ
リア周波数で使用するように構成させ、
前記装置に対して物理層リソースを動的に割り振らせる工程であって、前記物理層リ
ソースの前記割振りは、地理的エリア内で、前記少なくとも2つのアンテナユニットからの信号と関連した潜在的な干渉を軽減するために、前記物理層リソースを前記アンテナユニットの間で分割させ、
前記少なくとも2つのアンテナユニットの各々において、前記装置のカバレッジ内で動作しているアクセス端末のためのモビリティ管理を提供させる
ように指示するための命令を含み、
前記物理層リソースの動的な割振りは、前記アクセス端末のうちの第1のアクセス端末が前記アンテナユニットのうちの前記第1のアンテナユニットのカバレッジから前記アンテナユニットのうちの前記第2のアンテナユニットへ移動したことを決定したことに応答して、前記少なくとも2つのアンテナユニットのうちの第1のアンテナユニットにより使用されるアップリンクスクランブル符号の第1のセットのうち少なくとも1つを変化させ、前記少なくとも2つのアンテナユニットのうちの第2のアンテナユニットにより使用されるアップリンクスクランブル符号の第2のセットのうち少なくとも1つを変化させるステップを含む、
非一時的コンピュータ可読記憶媒体。
【請求項２９】
前記アクセス端末のうち前記第1のアクセス端末が移動したと決定するステップは、前記少なくとも2つのアンテナユニットのうち前記第2のアンテナユニットにより、前記アクセス端末のうち前記第1のアクセス端末のスクランブル符号で前記アクセス端末のうち前記第1のアクセス端末のアップリンク送信を検知することに基づく、請求項1に記載の装置。